(57)【要約】【課題】従来は、複数の店舗間、店舗及び企業間で配信される、少なくとも映像を含む広告を交換することができなかった。【解決手段】広告管理サーバーは、音声又は映像の内、少なくとも映像を含む広告を管理する広告管理部と、広告が配信されるクライアントのランクを設定するランク設定部と、広告を配信するクライアントが保有するポイント、及び、クライアントに設定されたランク毎のポイントを管理するポイント管理部と、広告を配信するために必要とされるポイントを、クライアントに含まれる第１クライアント及び第２クライアントの間で交換することで、指定されたスケジュールで第１クライアントの広告を第２クライアントに配信し、第２クライアントの広告を第１クライアントで配信するように管理する配信管理部と、を備える。【選択図】図１
2020042508.tif 000002
【特許請求の範囲】
【請求項１】
音声又は映像の内、少なくとも映像を含む広告を管理する広告管理部と、
前記広告が配信されるクライアントのランクを設定するランク設定部と、
前記広告を配信する前記クライアントが保有するポイント、及び、前記クライアントに設定された前記ランク毎の前記ポイントを管理するポイント管理部と、
前記広告を配信するために必要とされる前記ポイントを、前記クライアントに含まれる第１クライアント及び第２クライアントの間で交換することで、指定されたスケジュールで前記第１クライアントの前記広告を前記第２クライアントに配信し、前記第２クライアントの前記広告を前記第１クライアントで配信するように管理する配信管理部と、を備える
広告管理サーバー。
【請求項２】
前記配信管理部は、前記第１クライアントに割当てられた広告枠の価値と、前記第２クライアントに割当てられた広告枠の価値とが同じである場合に、前記第１クライアントにより出稿された前記広告と、前記第２クライアントにより出稿された前記広告とを交換する
請求項１に記載の広告管理サーバー。
【請求項３】
前記配信管理部は、前記第１クライアントに割当てられた広告枠の価値と、前記第２クライアントに割当てられた広告枠の価値とが異なる場合に、前記価値を同じとする前記ポイントを前記第１クライアント又は前記第２クライアントが保有したことにより、前記第１クライアントにより出稿された前記広告と、前記第２クライアントにより出稿された前記広告とを交換する
請求項１又は２に記載の広告管理サーバー。
【請求項４】
前記ポイント管理部は、前記第１クライアントに割当てられた広告枠を前記第２クライアントに提供した場合に、前記第１クライアントに割当てられた広告枠の価値に相当するポイントを前記第２クライアントから前記第１クライアントに移動させる
請求項１〜３のいずれか一項に記載の広告管理サーバー。
【請求項５】
前記広告枠の価値は、前記ランク毎に決定され、
前記ランクは、前記クライアント毎に、所定期間における広告提供者数、営業延べ時間、及び一人当たりの平均滞在時間により設定される
請求項１〜４のいずれか一項に記載の広告管理サーバー。
【請求項６】
さらに、撮像部により撮像された前記広告が提供される場所の画像を含む画像ファイルを前記クライアントから取得し、前記画像ファイルを解析して時間毎の広告提供者数を計測する広告提供者数計測部と、
前記画像ファイルを解析して前記広告が提供される場所の音量を計測する音量計測部と、を備え、
前記ランク設定部は、前記広告提供者数及び前記音量に基づいて前記クライアントに前記ランクを設定する
請求項１〜５のいずれか一項に記載の広告管理サーバー。
【請求項７】
前記配信管理部は、前記広告が配信される前記クライアント又は配信先端末から取得する情報に基づいて前記広告を選択する
請求項１〜６のいずれか一項に記載の広告管理サーバー。
【請求項８】
前記配信管理部が前記クライアント又は前記配信先端末から取得する情報は、前記クライアント又は前記配信先端末がそれぞれ有する放映部が前記広告を放映した時点で、前記クライアント又は前記配信先端末がそれぞれ有する人物検知部が検知した、前記クライアント又は前記配信先端末の周囲にいる人物に関する情報であって、
前記配信管理部は、取得した前記人物に関する情報に基づいて、前記人物に合わせた前記広告を選択する
請求項７に記載の広告管理サーバー。
【請求項９】
前記クライアントは、店舗又は企業のいずれかである
請求項１〜８のいずれか一項に記載の広告管理サーバー。
【請求項１０】
さらに、前記広告を審査する広告審査部を備え、
前記配信管理部は、前記広告審査部により審査され、承認された前記広告を配信する
請求項１〜９のいずれか一項に記載の広告管理サーバー。
【請求項１１】
音声又は映像の内、少なくとも映像を含む広告を出稿する広告主に関する情報、及び前記広告を前記広告主毎に管理する管理データベースと、前記広告の配信を管理する広告管理サーバーと、を備え、
前記広告管理サーバーは、
前記広告を管理する広告管理部と、
前記広告が配信されるクライアントのランクを設定するランク設定部と、
前記広告を配信する前記クライアントが保有するポイント、及び、前記クライアントに設定された前記ランク毎の前記ポイントを管理するポイント管理部と、
前記広告を配信するために必要とされる前記ポイントを、前記クライアントに含まれる第１クライアント及び第２クライアントの間で交換することで、指定されたスケジュールで前記第１クライアントの前記広告を前記第２クライアントに配信し、前記第２クライアントの前記広告を前記第１クライアントで配信するように管理する配信管理部と、を備え、
前記管理データベースを参照して、前記管理データベースから前記広告主に関する情報、及び前記広告を取得する
広告配信システム。
【請求項１２】
前記広告が配信される前記クライアント又は配信先端末は、
前記広告を放映する放映部と、
前記放映部の周囲にいる人物を検知する人物検知部と、
前記人物検知部が前記人物を検知したタイミングで前記放映部に前記広告を放映させる再生判断部と、を備える
請求項１１に記載の広告配信システム。
【請求項１３】
前記再生判断部は、前記人物検知部が検知した人を特定し、特定した前記人物に対して所定時間内に前記放映部に放映させた前記広告とは異なる前記広告を前記放映部に放映させる
請求項１２に記載の広告配信システム。
【請求項１４】
前記再生判断部は、前記放映部が放映した前記広告の放映回数、放映時間を含む情報を前記広告管理サーバーに送信し、
前記ランク設定部は、前記クライアント又は前記配信先端末から受信した前記広告の放映回数、放映時間を含む情報に基づいて、前記ランクを設定する
請求項１３に記載の広告配信システム。
【発明の詳細な説明】
【技術分野】
【０００１】
本発明は、例えば、音声又は映像の内、少なくとも映像を含む広告を配信するための広告管理サーバー及び広告配信システムに関する。
【背景技術】
【０００２】
従来、広告伝送媒体としてテレビ放送が主に用いられていた。しかし、近年は、インターネットを通じて企業が自社サイトにユーザーを誘導し、直接ユーザーに広告を提供するようになっている。また、ユーザーにとって、リアルタイムでテレビ放送を視聴することは少なくなっている。例えば、インターネットを通じてゲームを行ったり、ビデオサイトに登録されたビデオを視聴するようになっている。
【０００３】
また、ユーザーは、テレビ番組をビデオ録画することにより、テレビ番組が放送された時間帯とは異なる時間帯にテレビ番組を視聴することが多い。この場合、テレビ番組中に挿入されるテレビ広告は早送り等で飛ばされやすい。このようにテレビ放送のプッシュメディアとしての役割が年々低下していることから、企業は、テレビ広告を通じて視聴者に商品、サービスの魅力を訴求することが困難となりつつあった。またテレビやラジオはその媒体に触れる際、能動的に電源をつける必要があり厳密なプッシュメディアの役割が弱くなってきた。
【０００４】
テレビ広告に変わるプッシュメディアとして、例えば、屋外看板や交通広告がある。しかし、屋外広告や交通広告は、その特性から広告の画像や映像だけを瞬間的に一般客の視覚から訴求できるに過ぎなかった。
【０００５】
特許文献１には、多数の媒体社を組織化し、多数の媒体社間で広告宣伝枠の交換を行うことができるシステムが開示されている。
【先行技術文献】
【特許文献】
【０００６】
【特許文献１】特開２００１−３５７２８４号公報
【発明の概要】
【発明が解決しようとする課題】
【０００７】
特許文献１に開示されたシステムは、新たな伝送媒体を設けなければ、有効な広告を配信することができなかった。そして、伝送媒体を構築するためには多額の費用がかかっていた。また、従来は、オフィスや店内で放送されるだけの音声広告や店内のテレビモニター等のデジタルサイネージに対する適切な価値を見出すことができなかった。このため、企業間で音声又は映像広告に用いる広告枠を売買するような音声又は映像の内、少なくとも映像を含む広告の流通市場は存在していなかった。また、音声広告のみでは静粛性が求められるオフィス内などでは利用できないという利用面での課題もあった。
【０００８】
本発明はこのような状況に鑑みて成されたものであり、簡易な構成としながら、新たな方法で広告を配信することを目的とする。
【課題を解決するための手段】
【０００９】
本発明に係る広告管理サーバーは、音声又は映像の内、少なくとも映像を含む広告を管理する広告管理部と、広告が配信されるクライアントのランクを設定するランク設定部と、広告を配信するクライアントが保有するポイント、及び、クライアントに設定されたランク毎のポイントを管理するポイント管理部と、広告を配信するために必要とされるポイントを、クライアントに含まれる第１クライアント及び第２クライアントの間で交換することで、指定されたスケジュールで第１クライアントの広告を第２クライアントに配信し、第２クライアントの広告を第１クライアントで配信するように管理する配信管理部と、を備える。
また、広告配信システムは、上記の広告管理サーバーに加えて、広告を出稿する広告主に関する情報、及び広告を広告主毎に管理する管理データベースを備える。
【発明の効果】
【００１０】
本発明によれば、第１クライアント及び第２クライアントの間でポイントを交換することで、指定されたスケジュールで各クライアントが他のクライアントの広告を配信することができる。このようにポイントを交換するシステムを設けたことにより、音声又は映像の内、少なくとも映像を含む広告の流動性を高めることができる。
また、本発明に係る広告配信システムによれば、例えば、クライアントに来た人物に対して、少なくとも視覚から広告を訴求できる上、クライアントに来た人物に対して、受動的に広告を伝送できる仕組みを提供することができる。
上記した以外の課題、構成及び効果は、以下の実施の形態の説明により明らかにされる。
【図面の簡単な説明】
【００１１】
【図１】本発明の一実施の形態に係る広告配信システムの全体構成例を示す説明図である。
【図２】本発明の一実施の形態に係る企業間で広告枠を交換する仕組みの例を示す説明図である。
【図３】本発明の一実施の形態に係る価値基準値に応じた企業ランクと、１つの広告枠あたりの単価の例を示す一覧表である。
【図４】本発明の一実施の形態に係る広告配信システムの内部構成例を示すブロック図である。
【図５】本発明の一実施の形態に係る広告配信システムの各装置を構成する計算機のハードウェア構成図である。
【図６】本発明の一実施の形態に係る管理データベースに格納される各テーブルの構成例を示す説明図である。
【図７】本発明の一実施の形態に係る管理データベースに格納される各テーブルの構成例を示す説明図である。
【図８】本発明の一実施の形態に係る広告主が配信サイトにログインしたときの処理例を示すフローチャートである。
【図９】本発明の一実施の形態に係る配信管理者が配信サイトにログインしたときの処理例を示すフローチャートである。
【図１０】本発明の一実施の形態に係るログイン画面の表示例を示す説明図である。
【図１１】本発明の一実施の形態に係る広告主画面の表示例を示す説明図である。
【図１２】本発明の一実施の形態に係る広告配信画面（地域選択）の表示例を示す説明図である。
【図１３】本発明の一実施の形態に係る広告配信画面（地域選択）の表示例を示す説明図である。
【図１４】本発明の一実施の形態に係る広告入稿画面の表示例を示す説明図である。
【図１５】本発明の一実施の形態に係る広告配信画面（広告主選択）の表示例を示す説明図である。
【図１６】本発明の一実施の形態に係る広告配信画面（広告主選択）の表示例を示す説明図である。
【図１７】本発明の一実施の形態に係る配信先検索画面の表示例を示す説明図である。
【図１８】本発明の一実施の形態に係る検索結果画面の表示例を示す説明図である。
【図１９】本発明の一実施の形態に係る広告配信画面（自動配信）の表示例を示す説明図である。
【図２０】本発明の一実施の形態に係る管理者画面の表示例を示す説明図である。
【図２１】本発明の一実施の形態に係る店舗・企業情報管理画面の表示例を示す説明図である。
【図２２】本発明の一実施の形態に係る店舗・企業編集画面の表示例を示す説明図である。
【図２３】本発明の一実施の形態に係る店舗・企業情報登録画面の表示例を示す説明図である。
【図２４】本発明の一実施の形態に係る広告審査・承認画面の表示例を示す説明図である。
【発明を実施するための形態】
【００１２】
以下、本発明を実施するための形態について、添付図面を参照して説明する。本明細書及び図面において、実質的に同一の機能又は構成を有する構成要素については、同一の符号を付することにより重複する説明を省略する。
【００１３】
［一実施の形態］
図１は、広告配信システム１０の全体構成例を示す説明図である。
図１の上に示す広告配信システム１０は、インターネット等のネットワークＮによって接続された店舗ａ、ｂ、店舗ｘ、ｙ等の広告主端末１と、管理者端末２と、広告管理サーバー３と、管理データベース４と、企業ｚ等の配信先端末６とを備える。
【００１４】
広告主端末１は、広告主によって使用される。広告主は、企業毎に広告主端末１を使用して、配信を望む音声又は映像の内、少なくとも映像を含む広告（ＣＭ（Commercial Message）、以下「広告」と略記する）を配信サイトにアップロードする。以下の説明では、広告主端末１から配信サイトにアップロードされ、又は広告管理サーバー３から広告主端末１又は配信先端末６に配信される広告のファイルを「広告ファイル」と総称する。そして、本明細書において、広告管理サーバー３が広告主端末１又は配信先端末６に広告ファイルを配信することを「広告を配信する」とも呼ぶ。ここで、広告主端末１は、複数の店舗間、又は店舗と企業間で広告枠を交換可能であり、互いに広告を配信し合うことができるが、配信先端末６は、広告枠の交換を行わず、配信された広告を提供するだけの端末とする。
【００１５】
店舗には、飲食店、美容院、コンビニエンスストア等の様々な業態が含まれており、店内（広告が提供される場所の一例）に広告を配信することが可能である。このため、店舗への来店者、又は企業への来社者（従業員等を含む）は、意識することなく広告を視聴することができる。店内、又は企業内のオフィスにて放送される内容は、自社の広告だけではなく、他社の広告も含まれる。以下の説明では、広告主である会社が保有する店舗又は企業を、クライアントの一例として扱う。ここで、店舗への来店者、又は企業への来社者は、広告が提供される広告提供者の一例である。
【００１６】
ここで、広告配信システム１０を利用する広告主は、業種、会社、店舗毎に異なるものとする。例えば、図１に示すように、ある会社が店舗ａ，ｂを保有し、他の会社が店舗ｘ，ｙを保有しているものとする。店舗毎に広告は異なるが、同じ会社が保有する店舗であれば、同じ広告が配信されてもよい。以下の説明では、店舗ａを第１クライアントの一例とし、店舗ｘを第２クライアントの一例として扱う。
【００１７】
管理者端末２は、広告配信システム１０を管理する配信管理者によって使用される。配信管理者は、管理者端末２を用いて、広告主端末１からアップロードされた広告の審査を行ったり、広告主の情報（企業情報）や、広告の配信先である企業の情報を登録したり、広告の配信先を選択したりする。
【００１８】
広告管理サーバー３は、広告主端末１によってアップロードされた広告を管理する。例えば、特定の店舗又は企業に対して、１時間に２回、広告や番組などが用意されたメディアを自動的に再生することで広告を来店者又は来社者に提供できるように管理している。広告管理サーバー３は、広告配信システム１０を利用する店舗又は企業間で広告枠を交換することが可能である。例えば、ある業態の店舗又は企業の広告主が他の業態に広告を出したい場合、自社店舗又は企業の広告枠を他社に提供することで、他社の広告枠を利用することができる。
【００１９】
管理データベース４は、広告を出稿する広告主に関する情報及び広告を広告主毎に管理する。広告管理サーバー３（特に、後述する図４に示す配信管理部３２ｈ）は、管理データベース４を参照して、必要な情報を適宜取得することができる。
【００２０】
配信先端末６は、広告主端末１から一方向で配信される広告を放音又は放映する。配信先端末６は、例えば、企業が入居する建物内の執務室で使用される機器や廊下等に設置される。そして、配信先端末６は、配信先端末６の近くに人物がいたときに、映像広告を放映し、又は音声広告を放音することができる。また、配信先端末６は、設定により、消音して映像広告だけを放映することもできる。
【００２１】
＜広告枠を交換する仕組み＞
ここで、広告枠を交換する仕組みについて説明する。
図２は、企業間で広告枠を交換する仕組みの例を示す説明図である。
【００２２】
図２の説明図（１）に示すように、ある広告主がコンビニエンスストアＡの店舗を持ち、他の広告主が飲食店Ｂの店舗を持つとする。例えば、コンビニエンスストアＡ及び飲食店Ｂでは、それぞれ１時間に２回、広告や番組等の広告を再生し、来店者に広告を届けることが可能な広告枠を持っているとする。ここで、広告配信システム１０では、コンビニエンスストアＡと飲食店Ｂとで広告枠を交換することが可能である。これにより、コンビニエンスストアＡにて、他業種である飲食店Ｂの広告を配信することが可能となり、飲食店Ｂにて、コンビニエンスストアＡの広告を配信することが可能となる。
【００２３】
また、図２の説明図（２）に示すように、広告枠は、コンビニエンスストアＡと、企業Ｃとで交換することも可能である。この場合、コンビニエンスストアＡには企業Ｃの広告が配信され、企業ＣにはコンビニエンスストアＡの広告が配信される。ここで、企業Ｃの近くにあるコンビニエンスストアＡで行われるキャンペーン情報、値引き情報等の広告が企業Ｃに配信されると、企業Ｃの来社者に対する誘因効果が高くなると考えられる。また、例えば、企業Ｃがリフォーム会社であれば、企業Ｃがリフォームに関する広告をコンビニエンスストアＡに配信することで、コンビニエンスストアＡへの多くの来店者に対して企業Ｃを宣伝することができる。
【００２４】
なお、企業Ｃが他社に広告を配信しないのであれば、他社と広告枠の交換を行わず、例えば、コンビニエンスストアＡから企業Ｃに対して一方向で広告を配信してもよい。この場合、企業Ｃには、図１に示した配信先端末６が設けられる。そして、配信先端末６により、広告が放音又は放映され、企業Ｃの来社者に広告が届けられる。
【００２５】
広告主がある広告枠にて広告を配信する際、各店舗又は企業が保有するポイントが一定数だけ消費される。ポイントは、配信管理者により管理されるものであり、広告主は、配信管理者からポイントを購入して増やすことができる。ポイント数は、店舗又は企業の価値、広告枠の価値に応じて変わる。このため、ポイント数に基づいて、店舗又は企業の価値、広告枠の価値を可視化することが可能である。また、広告主は、広告主端末１に表示される配信サイトを通じてポイントの購入、広告の入稿、ポイントの交換等を行うことが可能である。このため、広告配信システム１０を利用することにより、ポイントを売買し、広告枠を交換するための新たな市場を創出することができる。
【００２６】
また、ある企業から他の企業の配信先端末６に対して一方向に広告を配信する際には、広告枠の交換は行われず、広告の配信に必要なポイントだけが消費されることとなる。このような場合には、広告が配信される企業に対して、広告を配信したときに消費したポイントの一部がクーポン券のような形で提供されるようにしてもよい。これにより、広告が配信された企業の来社者は、クーポン券を持って、広告を配信した企業又は店舗に行く機会が増えるため、広告の宣伝効果が高まる。
【００２７】
ところで、店舗又は企業毎に広告の価値は異なる。このため、広告の価値基準は、例えば、以下の算出指標（ａ）〜（ｃ）を用いて店舗又は企業毎に算出される。
（ａ）月間来店者数
（ｂ）月間営業延べ時間
（ｃ）一人あたりの平均滞在時間
また、店内放送がない状態の店内の音量と、店内放送がある状態の店内の音量とで、音量のデシベル比が高いほど、来店者は店内放送、すなわち広告を聞き取りやすいと考えられる。このため、デシベル比により、店舗又は企業ランクが、Ａランク、Ｂランク、Ｃランクに分類される。そして、店舗又は企業ランク毎に、積算値が求められる。積算値として、例えば、店舗又は企業ランクがＢランクであれば標準の１．０倍、Ａランクでは標準の１．１倍、Ｃランクでは標準の０．９倍とする。
【００２８】
そして、コンビニエンスストアＡの店舗ａの上記算出指標は以下に示す（ａ）〜（ｄ）の通りであるとする。すると、店舗又は企業毎の価値基準値は、下記式（１）により算出される。
（ａ）月間来店者数  ２０００人
（ｂ）月間営業延べ  ３００時間
（ｃ）平均滞在時間  ５分
（ｄ）Ｃランクの積算値
【００２９】
店舗又は企業毎の価値基準値＝月間来店者数÷月間営業延べ時間×一人あたりの平均滞在時間×ランク毎の積算値  …（１）
【００３０】
すなわち、式（１）より、店舗又は企業毎の価値基準値は、２０００÷３００×５×０．９＝３０となる。このため、コンビニエンスストアＡの店舗ａの価値基準値が“３０”であることが判明する。そして、価値基準値に応じて、店舗又は企業のランクが確定する。なお、価値基準値の算出に際して、所定期間の一例として月間を用いたが、日間、週間、年間等を所定期間として用いてもよい。
【００３１】
図３は、価値基準値に応じた店舗又は企業ランクと、１つの広告枠あたりの単価の例を示す一覧表である。
店舗又は企業ランクとは、広告が行われる店舗又は企業の価値を示す指標であり、店舗又は企業ランクが高いほど、店舗の来店者又は企業の来社者に広告が有効に届くと考えられる。図３の上に示すように店舗又は企業ランクの高い順に、例えば、プラチナ、ゴールド、シルバー、ブロンズが設定される。そして、店舗又は企業ランクの高い順に、広告を配信するために必要な価値基準値が高くなり、ポイント数が多くなる。例えば、店舗又は企業ランクがプラチナであれば、７５ポイント以上必要であり、店舗又は企業ランクがゴールドであれば、５０〜７４ポイント必要であり、店舗又は企業ランクがシルバーであれば、２５〜４９ポイント必要であり、店舗又は企業ランクがブロンズであれば、０〜２４ポイント必要である。
【００３２】
また、図３の下に示すように、店舗又は企業ランクに応じて、１つの広告枠あたりの単価が変わる。例えば、店舗又は企業ランクがプラチナであれば、１３ポイント必要であるのに対し、店舗又は企業ランクがブロンズであれば、１０ポイント必要である。つまり、店舗又は企業ランクが高いほど、１つの広告枠あたりの単価も高くなる。上述したコンビニエンスストアＡの店舗ａの価値基準値は、“３０”であるため、図３の上の図から、コンビニエンスストアＡの店舗ａの店舗又は企業ランクはシルバーとなる。このため、店舗ａの１つの広告枠あたりの単価は、図３の下の図から１１ポイントとなる。このようにして、コンビニエンスストアＡの店舗ａが保有している消費可能枠のポイント数が算出される。このポイント数が基礎ポイントとなる。基礎ポイントの算出は次式（２）により行われる。
【００３３】
基礎ポイント＝月間営業延べ時間×１時間あたりの広告枠数×１つの広告枠あたりの単価  …（２）
【００３４】
式（２）より、店舗ａの基礎ポイントは、３００×２×１１＝６，６００として算出される。このため、６，６００ポイントが、店舗ａにおける月あたりのポイントの消費可能枠となり、広告主は事前に配信管理者から６，６００ポイントを購入することができる。そして、広告主は、消費可能枠内のポイントを、自店舗又は自社と他の店舗間で交換することで、自社の広告を他社の店舗又は企業内で配信することが可能となる。また、他社の店舗又は企業での広告回数を増やす場合には、さらにポイントを追加して購入することもできる。
【００３５】
例えば、店舗ａの広告主が、以下のランクが設定されている他社の他店舗又は企業に、自社の広告を７日間にわたって、全時間帯で配信することを希望した場合を想定する。
（ａ）月間営業延べ  １５０時間
（ｂ）プラチナランク
（ｃ）広告単価  １３ポイント
この場合の基礎ポイントは、１５０×７日間×１３＝１３，６５０として算出される。ここで、店舗ａは、６，６００ポイントしか購入していないため、他社の店舗又は企業に広告を配信するためには７，０５０ポイント不足する。そこで、店舗ａの広告主は、配信管理者から７，０５０ポイントを購入する必要がある。
【００３６】
また、本実施の形態では、図１に示すように広告が一方的に配信される企業ｚに配信先端末６が設けられている。企業ｚへの来社者は、コンビニエンスストアＡの来店者に比べて、同じことに興味を持つ人が多い場合が考えられる。また、特定の時間帯に多くの来社者等が配信先端末６の近くを通過することが考えられる。このため、図３の下の図に示した１つの広告枠あたりの単価は、時間帯、配信先端末６が設置される場所によって変更してもよい。また、図１に示した店舗ａ，ｂ，ｘ，ｙに対しても、単価を時間帯によって変更することができる。
【００３７】
図４は、広告配信システム１０の内部構成例を示すブロック図である。
広告主端末１は、入力部１１、表示部１２、通信部１３、制御部１４、撮像部１５、集音部１６、放音部１７、録画部１８、放映部１９及び人物検知部２０を備える。
【００３８】
入力部１１は、例えば、キーボード、マウス等であり、広告主端末１を使用する広告主によって必要な情報が入力される。
表示部１２は、例えば、液晶ディスプレイ装置であり、広告主が表示可能な配信サイト等を表示する。
通信部１３は、広告主端末１がネットワークＮに接続するための通信インターフェイスである。通信部１３は、制御部１４から指示された音声ファイル又は画像ファイルや、制御部１４の制御結果等を広告管理サーバー３にアップロードしたり、広告管理サーバー３からダウンロードした広告ファイルを制御部１４に渡したりする。なお、通信部１３から広告管理サーバー３にアップロードされる音声ファイル又は画像ファイルの一部は、広告ファイルを構成する。
【００３９】
制御部１４は、広告主端末１内の各部の動作を制御する。制御部１４は、入力受付部１４ａ、表示制御部１４ｂ、再生判断部１４ｃ、広告再生部１４ｄを備える。
入力受付部１４ａは、入力部１１によって入力されたデータを受け付ける。入力部１１により入力されるデータとして、例えば、広告主が店舗又は企業に配信を希望する広告ファイルの選択指示、広告の配信スケジュール、店舗又は企業情報等がある。
表示制御部１４ｂは、広告管理サーバー３が設ける配信サイトを表示部１２に表示する制御を行う。広告主は、配信サイトを通じて広告又は店舗又は企業等の情報を確認することが可能である。
【００４０】
再生判断部１４ｃは、広告ファイルを広告再生部１４ｄに再生させるタイミングを判断する。このため、再生判断部１４ｃは、人物検知部２０が人物を検知したタイミングで広告ファイルの再生を広告再生部１４ｄに指示する。また、再生判断部１４ｃは、放映部１９が放映した広告の放映回数、放映時間を含む情報を広告管理サーバー３に送信する。
【００４１】
広告再生部１４ｄは、再生判断部１４ｃの指示に基づいて、広告管理サーバー３から配信された広告ファイルを再生する。再生された広告ファイルが音声のみの場合は、放音部１７にて音声広告が放音される。また、広告ファイルが音声に映像も伴う場合は放音部１７にて音声広告が放音され、放映部１９にて映像広告が放映される。また、広告ファイルが映像のみの場合は放映部１９にて映像広告が放映される。
【００４２】
撮像部１５は、例えば、カメラであって、来店者又は来社者の静止画を撮像して画像ファイルを生成する。撮像部１５が録画した静止画の画像ファイルは制御部１４に送られ、制御部１４から通信部１３を介して広告管理サーバー３に送信される。
集音部１６は、例えば、マイクロフォンであって、店内の音を集音する。撮像部１５によって撮像された来店者又は来社者の様子、集音部１６によって集音された店舗内又は企業内の音は、店舗又は企業における広告の価値を算出するために利用される。集音部１６により集音された音の音声データは、撮像部１５が生成した画像ファイルに取り込まれている。
【００４３】
なお、企業では、来社者が集まっても静粛にしていることが多いので、集音部１６が設置される場所によっては企業内の音が、広告の価値を算出するために利用されないこともある。この場合、別途、特定された、放映部１９の周囲にいる人物の人数等が広告の価値を算出するために利用される。
【００４４】
放音部１７は、例えば、スピーカーであって、店内に広告ファイルに基づく音声広告を放音する。
録画部１８は、例えば、ビデオカメラであって、広告主端末１が設置される店舗内、企業が入居する建物の通路内又は執務室内の様子を動画で録画する。録画部１８が録画した動画の画像ファイルは制御部１４に送られ、制御部１４から通信部１３を介して広告管理サーバー３に送信される。上述した撮像部１５の代わりに録画部１８だけが設けられてもよい。
撮像部１５から広告管理サーバー３に送信された静止画の画像ファイル、録画部１８から広告管理サーバー３に送信された動画の画像ファイルは、広告管理サーバー３により来店者数又は来社者数を計測するために用いられる。
【００４５】
放映部１９は、例えば、液晶ディスプレイ装置であって、他の店舗又は企業から配信された広告ファイルを広告再生部１４ｄが再生した広告を店内又は屋外に放映する。放映部１９が設置される場所は、来店者又は来社者が多くいて、来店者又は来社者が立ち止まる時間が長い場所が望ましい。例えば、コンビニエンスストアＡであれば、放映部１９はレジカウンターの後ろに設けられ、企業Ｃであれば、給湯室、社員食堂の入口、入退場ゲートの近く、エレベーターの内部等に設けられてもよい。放映部１９に映像広告が配信されるタイミングは、放映部１９の前に来店者又は来社者がいる時が望ましい。放映部１９の前に人物がいるか否かは、人物検知部２０から入力する検知信号（検知結果）に基づいて再生判断部１４ｃが判断する。そして、再生判断部１４ｃが判断したタイミングで、放映部１９の前にいる人物に合わせた広告が広告再生部１４ｄによって再生される。
【００４６】
人物検知部２０は、例えば、赤外線光により人物の有無を検知可能な人感センサーであり、放映部１９の近くに設置される。人物検知部２０は、放音部１７又は放映部１９の周囲に人物がいることを検知すると、検知信号を再生判断部１４ｃに出力する。
【００４７】
なお、人物検知部２０として、人物が所持するＩＣカード等を無線で読み取るカードリーダーであってもよい。この場合、人物検知部２０は、ＩＣカードから読取った個人ＩＤ等の情報を制御部１４に出力する。制御部１４の再生判断部１４ｃは個人ＩＤ等の情報に基づいて人物検知部２０が検知した人物を特定する。例えば、再生判断部１４ｃは、放映部１９の周囲にいる人物の性別、年齢、職種等により人物を特定することができる。そして、再生判断部１４ｃは、特定した人物に対して所定時間内に放映部１９に放映させた広告とは異なる広告を放映部１９に放映させる指示を広告再生部１４ｄに行う。このため、再生判断部１４ｃは、例えば、同じ日に同じ個人ＩＤの人物が複数回、放映部１９の近くにいたことを特定すると、この個人ＩＤで特定される人物に対して、以前に放映した広告とは異なる広告の再生を広告再生部１４ｄに指示することができる。これにより、放映部１９の周囲にいる人物に対して、常に同じ広告を放映することで、広告への注目が低くなるのを避けることができる。
このように制御部１４は、広告管理サーバー３の判断を仰がずに、予め割当てられた広告枠内で複数の広告を入替えて放音部１７又は放映部１９により広告の放映を指示することができる。
【００４８】
なお、制御部１４は、特定した人物の人数、性別、年齢、職種等の情報を通信部１３を通じて広告管理サーバー３に送信することもできる。そして、制御部１４の再生判断部１４ｃは、広告管理サーバー３の指示に基づいて配信された広告を放音部１７又は放映部１９により放音又は放映するよう指示することもできる。
【００４９】
また、人物検知部２０は、撮像部１５が撮像した静止画、録画部１８が録画した動画に基づいて、人物像のパターンマッチングを行い、録画されている特定の人物の有無を検知することもできる。このとき、人物検知部２０は、検知した人物の性別、年齢等を推定し、推定結果を制御部１４に送信することができる。
【００５０】
再生判断部１４ｃは、人物検知部２０が人物を検知したタイミングで放映部１９に映像広告を放映させる。このため、再生判断部１４ｃは、人物検知部２０が人物を検知している期間だけ、放映部１９に映像広告を放映させ、又は放音部１７に音声広告を放音させる指示を広告再生部１４ｄに行うことができる。これにより、再生判断部１４ｃは、例えば、音声広告がふさわしくない静かな執務室内では映像広告だけを放映することができる。また、再生判断部１４ｃは、複数の人物が往来する通路では、映像広告を放映すると共に、音声広告を放音させて人物の注意を広告に惹きつけることができる。
【００５１】
配信先端末６は、通信部６１、制御部６２（配信先端末制御部の一例）、人物検知部６３、放音部６４及び放映部６５を備える。通信部６１、制御部６２、人物検知部６３、放音部６４及び放映部６５は、いずれも広告主端末１が備える通信部１３、制御部１４、人物検知部２０、放音部１７、放映部１９と同等の機能を有する。また、図示しないが、制御部６２は、制御部１４の入力受付部１４ａ、表示制御部１４ｂ、再生判断部１４ｃ、広告再生部１４ｄと同じ機能部を有する。
【００５２】
配信先端末６においても、放音部６４又は放映部６５の近くに来社者がいることが人物検知部６３により検知される間、放音部６４又は放映部６５より広告が行われる。そして、制御部６２は、放音部６４又は放映部６５より広告が行われた時間、広告の内容、来社者の人数、性別、年齢等の情報を通信部６１を介して広告管理サーバー３に送信する。広告管理サーバー３は、広告が放音又は放映された時間、広告が届けられた来社者の数を把握することができる。
【００５３】
なお、オフィス内に放映部６５等が設置される場合には、執務室内が静かな環境であることが多いため、配信先端末６に放音部６４を設ける必要はない。また、配信先端末６には、人物検知部６３に代えて、録画部１８と同等の機能を有する録画部を設けるようにしてもよい。
【００５４】
管理者端末２は、入力部２１、表示部２２、制御部２３、通信部２４を備える。
入力部２１は、例えば、キーボード、マウス等であり、管理者端末２を使用する配信管理者によって必要な情報が入力される。
表示部２２は、例えば、液晶ディスプレイ装置であり、配信管理者が表示可能な配信サイト等を表示する。
制御部２３は、管理者端末２内の各部の動作を制御する。また、制御部２３は、広告管理サーバー３にログインし、広告管理サーバー３における広告等の管理を行う。
通信部２４は、管理者端末２がネットワークＮに接続するための通信インターフェイスである。
【００５５】
広告管理サーバー３は、通信部３１，制御部３２を備える。
通信部３１は、広告管理サーバー３がネットワークＮに接続するための通信インターフェイスである。
制御部３２は、広告管理サーバー３内の各部の動作を制御する。制御部３２は、ログイン処理部３２ａ、音量計測部３２ｂ、来店者数計測部３２ｃ、広告管理部３２ｄ、ランク設定部３２ｅ、ポイント管理部３２ｆ、広告審査部３２ｇ、配信管理部３２ｈ及び人物選定部３２ｉを備える。
【００５６】
ログイン処理部３２ａは、管理者端末２から入力されたログインＩＤ、パスワードの認証を行い、正規のユーザーであると認証した場合に、広告管理サーバー３へのログインを許可する。
【００５７】
音量計測部３２ｂは、撮像部１５又は録画部１８により撮像され、広告主端末１からアップロードされた画像ファイルを解析して店内の音量を計測する。音量の計測は、上述したように店内の音をデシベル値に換算し、店内の音声のデシベル比を求めることで行われる。
【００５８】
来店者数計測部３２ｃ（広告提供者数計測部の一例）は、撮像部１５又は録画部１８により撮像され、広告主端末１からアップロードされた画像ファイルを解析して時間毎の来店者数又は来社者数を計測する。このとき、来店者数計測部３２ｃは、画像ファイルから来店者又は来社者の顔認証を行うことで、来店者の性別、年齢等を判断し、来店者の性別、年齢毎に来店者数又は来社者数を計測してもよい。また、来店者数計測部３２ｃは、配信先端末６の人物検知部６３が検知した人物の情報により来店者数又は来社者数を計測してもよい。また、来店者数計測部３２ｃは、広告主端末１又は配信先端末６により解析され、アップロードされた来店者又は来社者の人数、性別、年齢等の情報に基づいて来店者数又は来社者数を計測してもよい。
【００５９】
広告管理部３２ｄは、広告主端末１を使用して広告主から出稿される、音声又は映像の内、少なくとも映像を含む広告を管理する。この広告は、例えば、管理データベース４に保存される。
ランク設定部３２ｅは、広告が配信される店舗又は企業のランクを設定する。例えば、ランク設定部３２ｅは、音量計測部３２ｂにより計測された店内又は室内の音量と、来店者数計測部３２ｃにより計測された来店者数又は来社者数とに基づいて、店舗又は企業毎にランクを設定する。また、ランク設定部３２ｅは、配信先端末６から受信した広告の放映回数、放映時間に基づいて、店舗又は企業のランクを設定することもできる。
【００６０】
ポイント管理部３２ｆは、店舗又は企業毎に設定されたランク毎のポイントを管理する。このため、ポイント管理部３２ｆは、店舗又は企業毎に消費可能枠を算出する。また、ポイント管理部３２ｆは、店舗又は企業が保有するポイントも管理しており、ある店舗又は企業が他の店舗又は企業との間で交換するポイントも管理する。
【００６１】
例えば、図１に示したように、店舗ａと店舗ｘとで広告枠を交換することを想定する。ポイント管理部３２ｆは、例えば、店舗ａに割当てられた広告枠を店舗ｘに提供した場合に、店舗ａに割当てられ、ランク毎に決定される広告枠の価値に相当するポイントを店舗ｘから店舗ａに移動させることもできる。ここで、ランクは、クライアント毎に、所定期間における広告提供者数、営業延べ時間、及び一人当たりの平均滞在時間により設定される。
【００６２】
広告審査部３２ｇは、広告主端末１から出稿された広告の審査を自動的に行う。広告の審査は、例えば、広告の再生時間が２０秒間で規定されている場合に、広告主から入稿された広告ファイルの再生時間が２０秒間以内であるか、また、広告の内容が公序良俗に反するものでないかといった観点で配信管理者により行われる。この広告の審査は、管理者端末２を使用する管理者によって１つずつ行われるが、広告審査部３２ｇを用いることにより、定形的なエラーを含む広告は自動的に除くか、配信中止を指示することが可能となる。これにより、配信管理者による審査を効率化することができる。
【００６３】
配信管理部３２ｈは、広告の配信スケジュール、配信地域等を管理しており、広告審査部３２ｇにより審査され、承認された広告を配信する。このとき、配信管理部３２ｈは、例えば、広告を配信するために必要とされるポイントを店舗ａ及び店舗ｘの間で交換することで、指定されたスケジュールで店舗ａの広告を店舗ｘに配信し、店舗ｘの広告を店舗ａで配信するように管理する。このため、配信管理部３２ｈは、配信スケジュール、配信地域等に従って、特定の店舗又は企業の広告主端末１に広告を配信することができる。
【００６４】
このため、配信管理部３２ｈは、広告が配信される店舗ａ，ｘ又は配信先端末６から取得する情報に基づいて広告を選択する。ここで、配信管理部３２ｈが店舗ａ，ｘから取得する情報は、店舗ａ，ｘが有する放映部１９が広告を放映した時点で、店舗ａ，ｘが有する人物検知部２０が検知した、店舗ａ，ｘの周囲にいる人物に関する情報である。また、配信管理部３２ｈが配信先端末６から取得する情報は、配信先端末６が有する放映部６５が広告を放映した時点で、店舗ａ，ｘ又は配信先端末６が有する人物検知部５３が検知した、配信先端末６の周囲にいる人物に関する情報である。配信管理部３２ｈは、取得した人物に関する情報に基づいて、人物に合わせた広告を選択することができる。また、配信管理部３２ｈは、人物選定部３２ｉが選定した人物に合わせた広告を選択し、配信先の広告主端末１又は配信先端末６に広告を配信することも可能である。
【００６５】
広告管理サーバー３が広告を配信する方法としては、オフラインでも広告主端末１又は配信先端末６が広告可能な広告ファイルを配信する方法も考えられる。この場合、例えば、広告主端末１又は配信先端末６を一時的にオンラインでネットワークＮに接続し、広告管理サーバー３から広告ファイルをダウンロードした後、広告主端末１又は配信先端末６をオフラインとすることができる。また、他の端末がオンラインでダウンロードした広告ファイルを記憶媒体に保存した後、この記憶媒体を広告主端末１又は配信先端末６に読込ませて広告ファイルを再生させることもできる。これにより、オフィス内では広告主端末１又は配信先端末６のオンライン接続が制限されるような環境であっても、広告を提供することができる。また、広告管理サーバー３が広告ファイルを何度も配信することによる通信遅延等も考慮しなくてよくなる。
【００６６】
なお、広告管理サーバー３が広告を配信する方法としては、オンラインで広告ファイルが広告主端末１又は配信先端末６にストリーミング配信される方法も考えられる。広告ファイルがストリーミング配信される場合、配信管理部３２ｈにより広告主端末１に配信される広告ファイルは、広告主端末１に保存されない。
また、広告ファイルは、広告主端末１を介することなく、店内の放音部１７、放映部１９等に直接配信してもよい。
【００６７】
ここで、配信管理部３２ｈは、店舗ａに割当てられた広告枠の価値と、店舗ｘに割当てられた広告枠の価値とが同じである場合に、店舗ａにより出稿された広告と、店舗ｘにより出稿された広告とを交換することができる。また、配信管理部３２ｈは、店舗ａに割当てられた広告枠の価値と、店舗ｘに割当てられた広告枠の価値とが異なる場合に、価値を同じとするポイントを店舗ａ又は店舗ｘが保有したことにより、店舗ａにより出稿された広告と、店舗ｘにより出稿された広告とを交換することもできる。これにより、店舗又は企業毎に配信する広告を交換することが可能となる。
【００６８】
また、後述する図８のステップＳ２の処理で、配信方法が「自動配信」と選択されていれば、広告のマーケティングを自動化することができる。このとき、配信管理部３２ｈは、例えば、人工知能（ＡＩ：Artificial Intelligence）を用いて、店舗ａと店舗ｘ以外の組合せで広告を交換することも可能である。このとき、配信管理部３２ｈは、例えば、図６と図７に示す各テーブルを参照して、配信先の人物に合わせた広告を選択する。例えば、広告が提供される人物の業種、年齢、性別等の情報や、撮像部１５又は録画部１８が作成した画像ファイルから顔認識をして得た、人物の年齢、性別判断した結果を組み合わせることで、広告主端末１又は配信先端末６の周囲にいる人物に合った広告が配信される。これにより、配信管理部３２ｈは、人物に広告を提供した後に起きた広告効果（購買数の増加等のアクション）を学習し、広告を選定する精度をさらに高めることが可能となる。
【００６９】
また、配信管理部３２ｈは、例えば、図６と図７に示す各テーブルを参照して、新たな店舗又は企業の組合せで広告を交換することができる。これにより、広告主が当初想定していた店舗とは異なる店舗に広告が配信され、予想よりも高い広告効果を得ることができる。
【００７０】
人物選定部３２ｉは、広告主端末１及び配信先端末６によって広告が配信された人物が誰であるかを求め、短時間で同じ広告が同じ人物に何度も配信されないようにするため、広告を配信する人物を選定する処理を行う。これにより、配信管理部３２ｈにより配信される広告を同じ人物に何度も配信することで、この人物が広告に対する興味が削がれるという事態を避けることができる。なお、人物選定部３２ｉは、この人物に別の広告が配信されたとしても、数時間又は数日経ってから同じ広告を配信するように人物を選定してもよい。
【００７１】
管理データベース４は、企業情報テーブル４１、広告主店舗又は企業情報テーブル４２、聞きやすさランクテーブル４３、店舗又は企業ランクテーブル４４、広告単価テーブル４５、広告枠数テーブル４６、業種テーブル４７を備える。広告管理サーバー３により管理される各種の情報は、管理データベース４の各テーブルに保存される。各テーブルの詳細な内容は、図６と図７にて説明する。
【００７２】
図５は、広告配信システム１０の各装置を構成する計算機Ｃのハードウェア構成図である。
計算機Ｃは、いわゆるコンピュータとして用いられるハードウェアである。計算機Ｃは、バスＣ４にそれぞれ接続されたＣＰＵ（Central Processing Unit：中央処理装置）Ｃ１、ＲＯＭ（Read Only Memory）Ｃ２、ＲＡＭ（Random Access Memory）Ｃ３を備える。さらに、計算機Ｃは、表示装置Ｃ５、操作装置Ｃ６、不揮発性ストレージＣ７、ネットワークインターフェイスＣ８を備える。
【００７３】
ＣＰＵ Ｃ１は、本実施の形態例に係る各機能を実現するソフトウェアのプログラムコードをＲＯＭ Ｃ２から読み出して実行する。ＲＡＭ Ｃ３には、演算処理の途中に発生した変数やパラメーター等が一時的に書き込まれる。ＣＰＵ Ｃ１には、例えば、図４に示される、制御部１４，２３，３２，５２が対応する。
【００７４】
表示装置Ｃ５は、例えば、液晶ディスプレイ装置であり、計算機Ｃで行われる処理の結果等をユーザーに表示する。表示装置Ｃ５には、例えば、図４の表示部１２，２２が対応する。操作装置Ｃ６には、例えば、キーボード、マウス等が用いられ、ユーザーが所定の操作入力、指示を行うことが可能である。操作装置Ｃ６には、例えば、図４の入力部１１，２１が対応する。
【００７５】
不揮発性ストレージＣ７としては、例えば、ＨＤＤ（Hard Disk Drive）、ＳＳＤ（Solid State Drive）、フレキシブルディスク、光ディスク、光磁気ディスク、ＣＤ−ＲＯＭ、ＣＤ−Ｒ、磁気テープ、不揮発性のメモリ等が用いられる。この不揮発性ストレージＣ７には、ＯＳ（Operating System）、各種のパラメーターの他に、計算機Ｃを機能させるためのプログラムが記録されている。ＲＯＭ Ｃ２、不揮発性ストレージＣ７は、ＣＰＵ Ｃ１が動作するために必要なプログラムやデータ等を記録しており、計算機Ｃによって実行されるプログラムを格納したコンピュータ読取可能な非一過性の記録媒体の一例として用いられる。
【００７６】
ネットワークインターフェイスＣ８には、例えば、ＮＩＣ（Network Interface Card）等が用いられ、端子が接続されたＬＡＮ（Local Area Network）、専用線等を介して各種のデータを装置間で送受信することが可能である。ネットワークインターフェイスＣ８には、例えば、図４の通信部１３，２４，３１，５１が対応する。
【００７７】
図６と図７は、管理データベース４に格納される各テーブルの構成例を示す説明図である。
図６に示す企業情報テーブル４１は、広告主企業ＩＤ、広告主店舗又は企業名、企業名、企業住所、企業電話番号、企業部署名、企業担当者名、メールアドレス、企業担当者、支払い情報（クレジットカード情報等）のフィールドを有する。
【００７８】
広告主店舗又は企業情報テーブル４２は、店舗又は企業ＩＤ、店舗又は企業名、広告主店舗又は企業ＩＤ、業種、営業時間、月間来店者又は来社者数、月間営業延べ時間、１人あたりの滞在時間、聞きやすさランク、価値基準、店舗又は企業ランク、広告単価（１回あたり）、保有ポイント、広告枠数、店舗又は企業住所のフィールドを有する。
【００７９】
聞きやすさランクテーブル４３は、最低、最高、ランク、デシベル比率のフィールドを有する。
店舗又は企業ランクテーブル４４は、価値基準、店舗又は企業ランクのフィールドを有する。
【００８０】
広告単価テーブル４５は、店舗又は企業ランク、単価ポイントのフィールドを有する。１つの広告は、例えば、２０秒間の再生時間の広告である。そして、店舗又は企業ランクに応じて、店内で流される広告の１つの広告枠の単価が確定する。
広告枠数テーブル４６は、月間営業延べ時間、広告枠のフィールドを有する。
【００８１】
業種テーブル４７は、農業，林業、漁業、鉱業，採石業，砂利採取業、建設業、製造業、電気・ガス・熱供給・水道業、情報通信業、運輸業，郵便業、卸売業，小売業、金融業，保険業、不動産業，物品賃貸業、学術研究，専門・技術サービス業、宿泊業，飲食サービス業、生活関連サービス業，娯楽業、教育，学習支援業、医療，福祉、複合サービス事業、サービス業（他に分類されないもの）、公務（他に分類されるものを除く）、分類不能の産業のフィールドを有する。
【００８２】
図７に示す広告主企業情報テーブル４８は、広告主端末１又は配信先端末６が設置される企業の情報を管理し、社員数、男性数、女性数のフィールドを有する。広告主又は配信管理部３２ｈは、広告主企業情報テーブル４８に格納される、男性数、女性数等の情報により、男性向け又は女性向けの広告を選択することが可能である。
【００８３】
広告主店舗・オフィス情報テーブル４９は、広告主端末１が設置される店舗、又は配信先端末６が設置されるオフィスの収容人数、男性数、女性数のフィールドの他、各年代の男性数、女性数のフィールドを有する。広告主又は配信管理部３２ｈは、広告主店舗・オフィス情報テーブル４９に格納される、これらの情報により、年代毎の男性向け又は女性向けの広告を選択することが可能である。
【００８４】
広告主店舗・オフィスモニター設置箇所テーブル５０は、広告主端末１又は配信先端末６が設置される箇所を管理するためのフィールドを有する。オフィスモニターとは、配信先端末６の放映部１９のことである。広告主又は配信管理部３２ｈは、広告主店舗・オフィスモニター設置箇所テーブル５０に格納される設置箇所の情報により、来店者又は来社者に向けた適切な広告を選択することが可能である。
【００８５】
広告主店舗・オフィス情報テーブル５１は、広告主端末１又は配信先端末６が設置される箇所で配信可能な広告の種類を管理するためのフィールドを有する。広告主又は配信管理部３２ｈは、広告主店舗・オフィス情報テーブル５１に格納される配信可能な広告の種類の情報により、設置箇所毎に適切な広告を選択することが可能である。
【００８６】
広告主店舗・オフィス施設付帯情報テーブル５２は、広告主端末１又は配信先端末６が設置される建物内に設けられる施設に関する付帯情報を管理するためのフィールドを有する。広告主又は配信管理部３２ｈは、広告主店舗・オフィス施設付帯情報テーブル５２に格納される施設に関する付帯情報により、施設に合わせた適切な広告を選択することが可能である。
【００８７】
次に、広告主と配信管理者が配信サイトにログインした後に行う処理について、図８と図９を参照して説明する。ただし、始めに、図８のフローチャートと、広告主に関連する画面の表示例を図１０〜図１９を参照して説明する。その後、図９のフローチャートと、配信管理者に関連する画面の表示例を図２０〜図２４を参照して説明する。
【００８８】
図８は、広告主が配信サイトにログインしたときの処理例を示すフローチャートである。以下の説明では、適宜、画面の表示例も合わせて説明する。
始めに、広告主は、広告主端末１に表示された図１０に示すログイン画面Ｗ１を表示する。
【００８９】
図１０は、ログイン画面Ｗ１の表示例を示す説明図である。
ログイン画面Ｗ１には、広告主又は管理者が配信サイトにログインする際に、ログインＩＤ、パスワードを入力するためのテキストボックスＷ１ａ，Ｗ１ｂが、広告主と管理者のそれぞれに対して設けられている。広告主が、「広告主のお客様はこちら」と表示されているテキストボックスＷ１ａにログインＩＤ、パスワードを入力して、ログインボタンを押すと、広告管理サーバー３のログイン処理部３２ａにて認証が行われ、ログインが完了する。
【００９０】
そして、広告主がログイン画面Ｗ１を通じてログインすると（Ｓ１）、広告主端末１には、図１１に示す広告主画面Ｗ２が表示される。
【００９１】
図１１は、広告主画面Ｗ２の表示例を示す説明図である。
広告主画面Ｗ２には、広告主が勤務する株式会社ＡＡＡの現在の店舗又は企業ランク一覧Ｗ２ａ、現在のポイントＷ２ｂ、直近の獲得ポイントＷ２ｃ、お知らせＷ２ｄ、管理機能ボタンＷ２ｅが表示される。
店舗又は企業ランク一覧Ｗ２ａは、例えば、管理データベース４の店舗又は企業ランクテーブル４４を参照して表示される情報である。店舗又は企業ランクとして、例えば、ａ，ｂ，Ｃランクがある。Ａランクが最もランクが高く、Ｂランクが標準のランクであり、広告主画面Ｗ２では「レギュラー」と表示されている。Ｃランクが最もランクが低い。
【００９２】
現在のポイントＷ２ｂは、広告主がこれまでに配信サイトを通じて配信管理者から購入したポイント数である。広告の配信には、このポイントが用いられる。
直近の獲得ポイントＷ２ｃには、各店舗又は企業にて獲得したポイント数が表示される。例えば、他の店舗又は企業により、広告の配信が依頼され、他の店舗又は企業に広告枠を提供した場合には、他の店舗又は企業から自店舗又は企業に対して提供した広告枠に相当するポイント数が獲得ポイントとして表示される。
【００９３】
お知らせＷ２ｄには、広告主に通知される情報が表示される。例えば、広告主が以前入稿した広告の審査結果や、他社からの広告の掲載依頼等が表示される。
管理機能ボタンＷ２ｅには、広告主が企業情報を管理するための画面を表示したり、広告を出稿したりするための指示を与えるために用いられる。広告主が「広告を出す」ボタンＷ２ｅ１をクリックすると、図１２に示す広告配信画面Ｗ３が表示される。
【００９４】
図１２と図１３は、広告配信画面Ｗ３（地域選択）の表示例を示す説明図である。
広告配信画面Ｗ３は、広告主が広告の配信先を業種又は地域から選択する場合に用いられる。広告配信画面Ｗ３には、広告主が保有する現在のポイント数が保有ポイントＷ３ａに表示される。また、配信方法選択ボタンＷ３ｂには、初めのうち「業種又は地域から選ぶ」のラジオボタンが選択された状態で表示される。広告主が「広告主から選択する」のラジオボタンを選択すると、後述する図１５に示す広告配信画面Ｗ５に遷移する。また、広告主が「自動配信」のラジオボタンを選択すると、後述する図１９に示す広告配信画面Ｗ８に遷移する。
【００９５】
広告配信画面Ｗ３には、広告の配信先である業種選択Ｗ３ｃ、地域選択Ｗ３ｄ、掲載期間Ｗ３ｅ（以上、図１２）、配信希望時間帯Ｗ３ｆ、配信希望回数Ｗ３ｇ、配信希望広告Ｗ３ｈ、広告増枠ボタンＷ３ｉ、現在のポイントＷ３ｊ、配信に必要なポイントＷ３ｋ、配信指示ボタンＷ３ｍ（以上、図１３）が表示される。
【００９６】
広告主は、配信方法選択ボタンＷ３ｂの「業種又は地域から選ぶ」のラジオボタンを選択すると、以下の項目を選択することが可能となる。例えば、広告主は、業種選択Ｗ３ｃ、地域選択Ｗ３ｄ、掲載期間Ｗ３ｅ、配信希望時間帯Ｗ３ｆ、配信希望回数Ｗ３ｇ、配信希望広告Ｗ３ｈにて、広告の配信を希望する業種、地域、掲載期間、配信希望時間帯、配信希望回数、配信希望広告を選択することができる。
【００９７】
また、新たに広告を入稿する際には、広告入稿リンクＷ３ｈ１をクリックする。これにより、後述する広告入稿画面Ｗ４が表示され、広告主は広告を入稿することができる。なお、配信希望広告Ｗ３ｈが複数あるのは、複数の異なる広告がある場合に、任意の広告を選択可能とするためである。広告主が、さらに配信を希望する広告を増やす場合には、広告増枠ボタンＷ３ｉを押して広告枠を増やすことができる。また、広告配信画面Ｗ３の下部にも現在のポイントＷ３ｊが表示され、ポイントが不足する場合には、ポイントを追加購入することもできる。そして、配信に必要なポイントＷ３ｋで示されるポイント数が、広告主が保有しているポイント数以下であるため、配信指示ボタンＷ３ｍが表示され、広告主は、配信指示ボタンＷ３ｍをクリックして広告の配信を指示することができる。
【００９８】
再び、図８のステップＳ３に戻って説明を続ける。
広告主が広告配信画面Ｗ３にて配信方法から「業種又は地域から選ぶ」を選択し（Ｓ２）、配信先の業種、地域、掲載期間等を選択又は記述した後（Ｓ３）、広告主は、新規広告を入稿するか否かを判断する（Ｓ４）。新規広告を入稿しない場合（Ｓ４のＮＯ）、広告配信画面Ｗ３にて選択した業種、地域、掲載期間等で広告が配信され（Ｓ１９）、本処理が終了する。一方、新規広告を入稿する場合（Ｓ４のＹＥＳ）、図１４に示す広告入稿画面Ｗ４が表示される。
【００９９】
図１４は、広告入稿画面Ｗ４の表示例を示す説明図である。
広告入稿画面Ｗ４は、広告主が新規の広告を入稿する場合に用いられる。広告入稿画面Ｗ４には、現在広告一覧Ｗ４ａ、審査待ち広告Ｗ４ｂ、新規広告入稿欄Ｗ４ｃが表示される。
現在広告一覧Ｗ４ａには、現在、広告主が配信可能な広告の一覧が表示される。この広告は、配信管理者によって既に審査が完了したものでもよいし、審査が未完了のものを含めてもよい。
審査待ち広告Ｗ４ｂには、現在、配信管理者によって審査が行われている広告が表示される。
新規広告入稿欄Ｗ４ｃには、広告ファイルの格納場所から広告主が配信を希望する広告が入った広告ファイルを選択するためのファイル参照エリアと、入稿指示ボタンＷ４ｃ１が表示される。広告主は、ファイル参照エリアにて広告ファイルを選択した後、入稿指示ボタンＷ４ｃ１を押すことで広告を入稿することができる。このとき、広告ファイルが広告管理サーバー３にアップロードされる。
【０１００】
図８の説明に戻ると、広告主が広告入稿画面Ｗ４の入稿指示ボタンＷ４ｃ１を押したことにより（Ｓ５）、新規広告に対応する広告ファイルが広告管理サーバー３にアップロードされる（Ｓ６）。そして、広告ファイルが広告管理サーバー３に入稿される（Ｓ７）。入稿された広告ファイル（広告）は、配信管理者により審査され、審査が完了した広告が配信可能となる。このため、ステップＳ７の後、ステップＳ３に戻る。
【０１０１】
次に、ステップＳ２にて、広告主を選択した場合について説明する。図１２に示した広告配信画面Ｗ３にて、広告主が配信方法選択ボタンＷ３ｂの「広告主から選択する」のラジオボタンを選択すると、図１５と図１６に示す広告配信画面Ｗ５が表示される。
【０１０２】
図１５と図１６は、広告配信画面Ｗ５（広告主選択）の表示例を示す説明図である。
広告配信画面Ｗ５は、広告主が広告の配信先を広告主から選択する場合に用いられる。広告配信画面Ｗ５には、広告主が保有する現在のポイント数が保有ポイントＷ５ａに表示される。また、配信方法選択ボタンＷ５ｂには、初めのうち「広告主から選択する」のラジオボタンが選択された状態で表示される。そして、広告配信画面Ｗ５には、配信先検索結果Ｗ５ｃが設けられる。
【０１０３】
配信先検索結果Ｗ５ｃには、広告主によって以前選択された配信先が表示される。広告主が配信先を再選択する際には、「配信先を選択し直す」ボタンＷ５ｃ１を選択する。これにより、後述する図１７に示す配信先検索画面Ｗ６が表示され、広告の配信先を検索することが可能となる。なお、広告配信画面Ｗ５が備えるエリアＷ５ｄ〜Ｗ５ｍは、図１２と図１３に示した広告配信画面Ｗ３が備えるエリアＷ３ｄ〜Ｗ３ｍと同じ内容であるため、詳細な説明を省略する。
【０１０４】
図８の説明に戻ると、ステップＳ２にて広告主により「広告主」が選択されたことにより表示された広告配信画面Ｗ５にて、配信先を変更する場合には、図１７に示す配信先検索画面Ｗ６が表示される。そして、広告主は、配信先検索画面Ｗ６にて、業種を指定し、又はキーワードを入力することで（Ｓ８）、業種又はキーワードに合致する配信先の広告主を検索することができる。
【０１０５】
図１７は、配信先検索画面Ｗ６の表示例を示す説明図である。
配信先検索画面Ｗ６は、広告主が広告の配信先を検索する場合に用いられる。配信先検索画面Ｗ６には、保有ポイントＷ６ａ、配信方法選択ボタンＷ６ｂ、配信先指定エリアＷ６ｃ、検索ボタンＷ６ｄが表示される。
保有ポイントＷ６ａには、広告主が保有する現在のポイント数が表示される。
配信方法選択ボタンＷ６ｂには、「広告主から選択する」のラジオボタンが選択された状態で表示される。
【０１０６】
配信先指定エリアＷ６ｃには、業種を指定、又はキーワードを入力することにより、配信先を指定することが可能である。
検索ボタンＷ６ｄは、配信先指定エリアＷ６ｃに指定された業種、又はキーワードに合致する配信先の検索を指示するために用いられる。検索結果は、図１８に示す検索結果画面Ｗ７に表示される。
【０１０７】
図１８は、検索結果画面Ｗ７の表示例を示す説明図である。
検索結果画面Ｗ７は、配信を依頼する出稿先を一覧表示するために用いられる。出稿先選択エリアＷ７ａ、検索結果一覧Ｗ７ｂを備える。
出稿先選択エリアＷ７ａは、検索結果としての総数と、１画面に表示可能な件数、並び替えリストを含む。広告主は、出稿先選択エリアＷ７ａに表示される情報に基づいて、任意の件数及び任意の順で画面に検索結果を表示する指示を行うことができる。例えば、店舗又は企業名の昇順又は降順、期間限定のキャンペーンが行われている店舗又は企業順に表示することもできる。
検索結果一覧Ｗ７ｂには、配信先検索画面Ｗ６にて指定された業種又はキーワードに合致する店舗又は企業名、業種名等が一覧表示される。
【０１０８】
再び、図８の説明に戻ると、広告主は、ステップＳ８にて検索結果画面Ｗ７に表示された広告主から任意の広告主を選択する（Ｓ９）。広告主を再選択する場合には、改めて配信先検索画面Ｗ６に戻り、業種又はキーワードが指定される。そして、広告主により広告主が選択された後、広告配信画面Ｗ５に戻って、広告主が広告配信画面Ｗ５にて配信先の業種、地域、掲載期間等を選択又は記述する（Ｓ１０）。
【０１０９】
その後、広告主は、新規広告を入稿するか否かを判断する（Ｓ１１）。新規広告を入稿しない場合（Ｓ１１のＮＯ）、広告配信画面Ｗ３にて選択した業種、地域、掲載期間等で広告が配信され（Ｓ１９）、本処理が終了する。一方、新規広告を入稿する場合（Ｓ１１のＹＥＳ）、図１４に示す広告入稿画面Ｗ４が表示される。
【０１１０】
そして、広告主が広告入稿画面Ｗ４の入稿指示ボタンＷ４ｃ１を押したことにより（Ｓ１２）、新規広告である広告ファイルがアップロードされる（Ｓ１３）。そして、広告ファイルが広告管理サーバー３に入稿される（Ｓ１４）。入稿された広告ファイル（広告）は、配信管理者により審査され、審査が完了した広告が掲載期間内で配信可能となる。このため、ステップＳ１４の後、ステップＳ１０に戻る。
【０１１１】
次に、ステップＳ２にて、広告主が「自動配信」を選択した場合について説明する。図１２に示した広告配信画面Ｗ３にて、広告主が配信方法選択ボタンＷ３ｂの「自動配信」のラジオボタンを選択すると、図１９に示す広告配信画面Ｗ８が表示される。
【０１１２】
図１９は、広告配信画面Ｗ８（自動配信）の表示例を示す説明図である。
広告配信画面Ｗ８は、広告管理サーバー３の配信管理部３２ｈにより、広告の配信先を自動的に選択する場合に用いられる。
【０１１３】
広告配信画面Ｗ８には、配信期間選択エリアＷ８ａ、新規広告入稿欄Ｗ８ｂ、保有ポイントＷ８ｃ、配信に必要なポイントＷ８ｄ、自動配信決定ボタンＷ８ｅが表示される。
配信期間選択エリアＷ８ａには、広告の配信期間として配信開始日及び配信終了日を選択可能な配信期間選択エリアＷ８ａが表示される。
新規広告入稿欄Ｗ８ｂには、広告ファイルの格納場所から広告主が配信を希望する広告が入った広告ファイルを選択するためのファイル参照エリアと、入稿指示ボタンＷ８ｂ１が表示される。
【０１１４】
保有ポイントＷ８ｃには、広告主が保有する現在のポイント数が表示される。
配信に必要なポイントＷ８ｄには、広告を自動配信するために必要なポイント数が表示される。
広告主が保有する現在のポイント数が、自動配信に必要なポイント数以上であれば、自動配信決定ボタンＷ８ｅが有効となる。そして、広告主が自動配信決定ボタンＷ８ｅを押すことで、広告管理サーバー３により広告の自動配信が行われるようになる。
【０１１５】
図８の説明に戻ると、広告主が広告配信画面Ｗ３にて配信方法から「自動配信」を選択すると（Ｓ２）、広告主は、自動配信するための新規広告を入稿するか否かを判断する（Ｓ１５）。自動配信するための新規広告を入稿しない場合（Ｓ１５のＮＯ）、広告配信画面Ｗ３にて選択された業種、地域、掲載期間等で広告が自動配信され（Ｓ１９）、本処理が終了する。一方、自動配信するための新規広告を入稿する場合（Ｓ１５のＹＥＳ）、図１９に示す広告配信画面Ｗ８が表示される。
【０１１６】
そして、広告主が広告配信画面Ｗ８の入稿指示ボタンＷ８ｂ１を押したことにより（Ｓ１６）、自動配信するための新規広告に対応する広告ファイルがアップロードされ（Ｓ１７）、広告ファイルが広告管理サーバー３に入稿される（Ｓ１８）。入稿された広告ファイル（広告）は、配信管理者により審査され、審査が完了した広告が掲載期間内で自動配信される。
【０１１７】
図９は、配信管理者が配信サイトにログインしたときの処理例を示すフローチャートである。以下の説明では、図１０及び図２０〜図２４を参照して、適宜、画面の表示例も合わせて説明する。
始めに、配信管理者は、管理者端末２に表示された図１０に示すログイン画面Ｗ１を表示する。そして、配信管理者がログイン画面Ｗ１を通じてログインすると（Ｓ２１）、管理者端末２には、図２０に示す管理者画面Ｗ１０が表示される。
【０１１８】
図２０は、管理者画面Ｗ１０の表示例を示す説明図である。
管理者画面Ｗ１０は、管理者が企業情報を管理し、広告の審査及び承認をし、広告主を登録するために用いられる。管理者画面Ｗ１０には、お知らせＷ１０ａ、管理機能Ｗ１０ｂが表示される。
お知らせＷ１０ａには、配信管理者に通知される情報が表示される。例えば、広告審査の件数が表示される。
管理機能Ｗ１０ｂには、配信管理者として広告主を管理するための機能ボタンが表示される。管理機能Ｗ１０ｂに表示される機能ボタンとして、企業情報管理画面ボタンＷ１０ｂ１、広告審査又は承認ボタンＷ１０ｂ２、管理者登録ボタンＷ１０ｂ３がある。
【０１１９】
配信管理者が企業情報管理画面ボタンＷ１０ｂ１を押すと、図２１に示す店舗・企業情報管理画面Ｗ１１が表示される。
図２１は、店舗・企業情報管理画面Ｗ１１の表示例を示す説明図である。
店舗・企業情報管理画面Ｗ１１には、広告主企業ＩＤＷ１１ａ、広告主店舗又は企業Ｗ１１ｂが表示される。広告主企業ＩＤＷ１１ａには、広告主企業の広告主企業ＩＤが表示され、広告主店舗又は企業Ｗ１１ｂには、広告主企業に所属する店舗又は企業の一覧が表示される。広告主店舗又は企業Ｗ１１ｂには、店舗又は企業編集ボタンＷ１１ｂ１が表示され、配信管理者は、店舗又は企業編集ボタンＷ１１ｂ１をクリックすることで表示される図２２に示す店舗・企業編集画面Ｗ１２を通じて店舗又は企業情報を編集することが可能である。
【０１２０】
また、店舗・企業情報管理画面Ｗ１１には、企業名Ｗ１１ｃ、企業住所Ｗ１１ｄ、企業電話番号Ｗ１１ｅ、企業部署名Ｗ１１ｆ、企業担当者名Ｗ１１ｇ、企業担当者メールアドレスＷ１１ｈ、支払情報Ｗ１１ｉが表示される。各項目には、それぞれ管理データベース４の企業情報テーブル４１から読出された、企業名、企業住所、企業電話番号、企業部署名、企業担当者名、メールアドレス、企業担当者、支払い情報（クレジットカード情報等）が表示される。
【０１２１】
図９にて、配信管理者が企業情報を編集する場合（Ｓ２２）、配信管理者が店舗又は企業編集ボタンＷ１１ｂ１をクリックして、図２２に示す店舗・企業編集画面Ｗ１２と図２３に示す店舗・企業情報登録画面Ｗ１３を表示する。
【０１２２】
図２２は、店舗・企業編集画面Ｗ１２の表示例を示す説明図である。
店舗・企業編集画面Ｗ１２は、店舗・企業情報管理画面Ｗ１１の店舗又は企業編集ボタンＷ１１ｂ１が押されることにより表示される画面であり、配信管理者が店舗又は企業情報を編集することが可能である。店舗・企業編集画面Ｗ１２には、店舗又は企業一覧Ｗ１２ａ、新規店舗又は企業追加ボタンＷ１２ｂが表示される。
店舗又は企業一覧Ｗ１２ａには、広告主の企業が保有する店舗又は企業の店舗又は企業名が一覧表示される。配信管理者が、店舗又は企業名の隣りに表示される「編集する」リンクを選択すると、図２３に示す店舗・企業情報登録画面Ｗ１３が表示される。
新規店舗又は企業追加ボタンＷ１２ｂは、配信管理者が新たに店舗又は企業を追加するときに押されるボタンである。配信管理者が新規店舗又は企業追加ボタンＷ１２ｂを押すと、図２３に示す店舗・企業情報登録画面Ｗ１３が表示される。
【０１２３】
図２３は、店舗・企業情報登録画面Ｗ１３の表示例を示す説明図である。
店舗・企業情報登録画面Ｗ１３は、配信管理者が店舗又は企業情報を編集又は登録するために用いられる。既に登録された店舗又は企業であれば、店舗・企業編集画面Ｗ１２には店舗又は企業情報が入力された状態で表示され、新規に登録される店舗又は企業であれば、店舗・企業編集画面Ｗ１２には店舗又は企業情報が入力されていない状態で表示される。
【０１２４】
店舗・企業情報登録画面Ｗ１３には、店舗又は企業ＩＤＷ１３ａ、店舗又は企業名Ｗ１３ｂ、企業名Ｗ１３ｃ、店舗又は企業住所Ｗ１３ｄ、業種Ｗ１３ｅ、営業時間Ｗ１３ｆ、月間来店者数Ｗ１３ｇ、月間営業延べ時間Ｗ１３ｈ、１人あたりの滞在時間Ｗ１３ｉ、聞きやすさランクＷ１３ｊ、価値基準Ｗ１３ｋ、店舗又は企業ランクＷ１３ｍ、広告単価（１回あたり）Ｗ１３ｎ、保有ポイントＷ１３ｏ、広告枠数Ｗ１３ｐが表示される。これらの各項目には、それぞれ管理データベース４の企業情報テーブル４１、広告主店舗又は企業情報テーブル４２から読出された情報が表示される。
【０１２５】
また、店舗・企業情報登録画面Ｗ１３には、広告させたくない業種Ｗ１３ｑが表示される。例えば、広告主と同業種である他の広告主の店舗又は企業には広告を望まないと考えられる。また、広告主と異業種であっても、広告主にとって利益が見込めない客層の業種にも広告を望まないと考えられる。このため、広告させたくない業種Ｗ１３ｑにて、広告させたくない業種を選択することが可能である。また、広告させたくない業種Ｗ１３ｑにない業種については、追加ボタンＷ１３ｑ１を押すことにより追加することが可能である。このとき、広告させたくない会社や店舗又は企業名をキーワードとして入力し、検索ボタンＷ１３ｒを押して検索可能である。店舗・企業情報登録画面Ｗ１３に全ての情報が入力された後、登録ボタンＷ１３ｓを押すことにより店舗又は企業情報が登録される。
【０１２６】
そして、配信管理者が、店舗・企業編集画面Ｗ１２と店舗・企業情報登録画面Ｗ１３により、店舗又は企業情報を編集又は追加した後（Ｓ２４）、ステップＳ２２に戻る。そして、編集又は追加した店舗又は企業情報が登録されると（Ｓ２３）、本処理が終了する。
【０１２７】
ステップＳ２１にて配信管理者が配信サイトにログインした後に表示される、図２０に示す管理者画面Ｗ１０にて、配信管理者が広告審査又は承認ボタンＷ１０ｂ２を押すと、図２４に示す広告審査・承認画面Ｗ１４が表示される（Ｓ２５）。
【０１２８】
図２４は、広告審査・承認画面Ｗ１４の表示例を示す説明図である。
広告審査・承認画面Ｗ１４は、配信管理者が、広告主により入稿された広告を審査し、承認するために用いられる。広告審査・承認画面Ｗ１４には、審査待ち広告一覧Ｗ１４ａ、作業完了ボタンＷ１４ｂが表示される。
【０１２９】
審査待ち広告一覧Ｗ１４ａには、現在、配信管理者による審査待ち、又は承認依頼が行われている広告が、企業毎、店舗又は企業毎に表示される。配信管理者は、各欄にて、「再生する」リンクＷ１４ａ１をクリックすると、広告を再生して聴くことができる。そして、配信管理者は、承認ボタンＷ１４ａ２を押すと、この承認ボタンＷ１４ａ２に対応する広告を承認することができる。
作業完了ボタンＷ１４ｂは、広告の審査又は承認の作業を完了するときに押されるボタンである。配信管理者により作業完了ボタンＷ１４ｂが押されると、図２０に示す管理者画面Ｗ１０に戻って表示される。
【０１３０】
そして、配信管理者が、承認ボタンＷ１４ａ２を押すことにより、広告が承認される（Ｓ２６）。その後、ステップＳ１０に戻って処理を続ける。
【０１３１】
以上説明した一実施の形態に係る広告配信システム１０では、音声又は映像の内、少なくとも映像を含む広告を配信可能な広告配信システム１０を利用する広告主間で広告枠を交換するための新たなメディアネットワークを形成することができる。そして、従来算出することが困難であった、広告を配信する店舗又は企業毎の価値と、その店舗又は企業における広告枠の価値とを算出することができる。また、これらの価値に基づくポイントを、広告配信システム１０を利用する広告主が購入することで自社の広告だけでなく、他社との間で広告枠を交換して他社の広告を配信することも可能となる。このように、従来は、広告の出稿先として認知されていなかった店内の広告に対して、簡易な広告配信システム１０を利用することで新たに他業種、他社からの広告を配信することが可能となる。
【０１３２】
広告管理サーバー３は、店舗又は企業毎の価値と、広告枠の価値とを算出するにあたり、各店舗又は企業の来店者数、店内放送のデシベル比を用いる。各店舗又は企業の来店者数、店内放送のデシベル比は、共に店舗又は企業毎に収録した画像ファイルから計測することが可能である。このため、各店舗又は企業の来店者数、店内放送のデシベル比を、店舗又は企業毎の自己申告により確定しなくてよく、配信管理者により適正に店舗又は企業毎の価値と、広告枠の価値とを算出することが可能となる。
【０１３３】
また、広告主は、配信サイトを通じて、任意のタイミングでポイントを購入することができる。配信サイトは、ＰＣだけでなく、スマートフォン等の携帯端末でも表示可能である。また、広告主は、広告ファイルを広告管理サーバー３に広告ファイルを簡単にアップロードすることができる。また、広告主は、配信サイトを通じて、広告の配信を希望する業種、期間、予算等を検討しやすい。
【０１３４】
また、オフィス内の所定の場所に配置された配信先端末６は、広告管理サーバー３から配信された広告を放音又は放映するためだけに用いられる。このため、従来であれば広告を提供することができなかったオフィス内の来社者に対して、配信先端末６を通じて広告を提供することが可能となる。
【０１３５】
ただし、配信先端末６は、建物内に限らず、建物の外に設けられてもよい。例えば、セルフ式のガソリンスタンドであれば給油機の近くに配信先端末６を設けてもよい。これにより、ガソリンスタンドの来店者が自動車にガソリンを入れている間、給油機の近くに設けられた放音部６４から放音される音声広告を聴き、放映部６５から放映される映像広告を観ることができる。
【０１３６】
また、広告主端末１に設けられた人物検知部２０、配信先端末６に設けられた人物検知部６３が人物を検知している間だけ、この人物に広告が提供されるように、音声広告の放音、又は映像広告の放映が制御される。このため、時間帯によっては、店舗よりも人物の出入りが少ない箇所（例えば、社員食堂）に設置された広告主端末１又は配信先端末６であっても、広告主端末１又は配信先端末６の周囲にいる人物に対して確実に広告を提供することができる。
【０１３７】
［変形例］
なお、携帯端末等を広告主端末１として用い、この携帯端末等に全方位を撮像可能な３６０°カメラを取付け、このカメラが撮像した店内の画像を画像ファイルとして、広告管理サーバー３がリアルタイムに収集してもよい。これにより、店舗又は企業には高価な業務用カメラを設置する必要がなくなり、広告配信システム１０に加入した広告主が負担する初期費用を抑えることが可能となる。
【０１３８】
なお、本発明は上述した実施の形態に限られるものではなく、特許請求の範囲に記載した本発明の要旨を逸脱しない限りその他種々の応用例、変形例を取り得ることは勿論である。
例えば、上述した実施の形態は本発明を分かりやすく説明するために装置及びシステムの構成を詳細かつ具体的に説明したものであり、必ずしも説明した全ての構成を備えるものに限定されない。本実施の形態の構成の一部について、他の構成の追加、削除、置換をすることも可能である。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０１３９】
１…広告主端末、２…管理者端末、３…広告管理サーバー、４…管理データベース、５…配信先端末、１０…広告配信システム、１１…入力部、１２…表示部、１４…制御部、１４ａ…入力受付部、１４ｂ…表示制御部、１４ｃ…再生判断部、１４ｄ…広告再生部、１５…撮像部、１６…集音部、１７…放音部、１８…録画部、１９…放映部、２０…人物検知部、２１…入力部、２２…表示部、２３…制御部、３２…制御部、３２ａ…ログイン処理部、３２ｂ…音量計測部、３２ｃ…来店者数計測部、３２ｄ…広告管理部、３２ｅ…ランク設定部、３２ｆ…ポイント管理部、３２ｇ…広告審査部、３２ｈ…配信管理部、３２ｉ…人物選定部、６２…制御部、６３…人物検知部、６４…放音部、６５…放映部
【図１】
2020042508.tif 000003
【図２】
2020042508.tif 000004
【図３】
2020042508.tif 000005
【図４】
2020042508.tif 000006
【図５】
2020042508.tif 000007
【図６】
2020042508.tif 000008
【図７】
2020042508.tif 000009
【図８】
2020042508.tif 000010
【図９】
2020042508.tif 000011
【図１０】
2020042508.tif 000012
【図１１】
2020042508.tif 000013
【図１２】
2020042508.tif 000014
【図１３】
2020042508.tif 000015
【図１４】
2020042508.tif 000016
【図１５】
2020042508.tif 000017
【図１６】
2020042508.tif 000018
【図１７】
2020042508.tif 000019
【図１８】
2020042508.tif 000020
【図１９】
2020042508.tif 000021
【図２０】
2020042508.tif 000022
【図２１】
2020042508.tif 000023
【図２２】
2020042508.tif 000024
【図２３】
2020042508.tif 000025
【図２４】
2020042508.tif 000026
【手続補正書】
【提出日】令和1年9月11日(2019.9.11)
【手続補正１】
【補正対象書類名】特許請求の範囲
【補正対象項目名】全文
【補正方法】変更
【補正の内容】
【特許請求の範囲】
【請求項１】
映像のみの広告、及び音声に前記映像も伴う前記広告の少なくともいずれか一方を管理する広告管理部と、
前記広告が配信されるクライアントのランクを設定するランク設定部と、
前記広告を配信する前記クライアントが保有するポイント、及び、前記クライアントに設定された前記ランク毎の前記ポイントを管理するポイント管理部と、
前記広告を配信するために必要とされる前記ポイントを、前記クライアントに含まれる第１クライアント及び第２クライアントの間で交換することで、指定されたスケジュールで前記第１クライアントの前記広告を前記第２クライアントに配信し、前記第２クライアントの前記広告を前記第１クライアントで配信するように管理する配信管理部と、を備える
広告管理サーバー。
【請求項２】
前記配信管理部は、前記第１クライアントに割当てられた広告枠の価値と、前記第２クライアントに割当てられた広告枠の価値とが同じである場合に、前記第１クライアントにより出稿された前記広告と、前記第２クライアントにより出稿された前記広告とを交換する
請求項１に記載の広告管理サーバー。
【請求項３】
前記配信管理部は、前記第１クライアントに割当てられた広告枠の価値と、前記第２クライアントに割当てられた広告枠の価値とが異なる場合に、前記価値を同じとする前記ポイントを前記第１クライアント又は前記第２クライアントが保有したことにより、前記第１クライアントにより出稿された前記広告と、前記第２クライアントにより出稿された前記広告とを交換する
請求項１又は２に記載の広告管理サーバー。
【請求項４】
前記ポイント管理部は、前記第１クライアントに割当てられた広告枠を前記第２クライアントに提供した場合に、前記第１クライアントに割当てられた広告枠の価値に相当するポイントを前記第２クライアントから前記第１クライアントに移動させる
請求項１〜３のいずれか一項に記載の広告管理サーバー。
【請求項５】
前記広告枠の価値は、前記ランク毎に決定され、
前記ランクは、前記クライアント毎に、所定期間における広告提供者数、営業延べ時間、及び一人当たりの平均滞在時間により設定される
請求項２〜４のいずれか一項に記載の広告管理サーバー。
【請求項６】
さらに、撮像部により撮像された前記広告が提供される場所の画像を含む画像ファイルを前記クライアントから取得し、前記画像ファイルを解析して時間毎の広告提供者数を計測する広告提供者数計測部と、
前記画像ファイルを解析して前記広告が提供される場所の音量を計測する音量計測部と、を備え、
前記ランク設定部は、前記広告提供者数及び前記音量に基づいて前記クライアントに前記ランクを設定する
請求項２〜５のいずれか一項に記載の広告管理サーバー。
【請求項７】
前記配信管理部は、前記広告が配信される前記クライアント又は配信先端末から取得する情報に基づいて前記広告を選択する
請求項２〜６のいずれか一項に記載の広告管理サーバー。
【請求項８】
前記配信管理部が前記クライアント又は前記配信先端末から取得する情報は、前記クライアント又は前記配信先端末がそれぞれ有する放映部が前記広告を放映した時点で、前記クライアント又は前記配信先端末がそれぞれ有する人物検知部が検知した、前記クライアント又は前記配信先端末の周囲にいる人物に関する情報であって、
前記配信管理部は、取得した前記人物に関する情報に基づいて、前記人物に合わせた前記広告を選択する
請求項７に記載の広告管理サーバー。
【請求項９】
前記クライアントは、店舗又は企業のいずれかである
請求項１〜８のいずれか一項に記載の広告管理サーバー。
【請求項１０】
さらに、前記広告を審査する広告審査部を備え、
前記配信管理部は、前記広告審査部により審査され、承認された前記広告を配信する
請求項１〜９のいずれか一項に記載の広告管理サーバー。
【請求項１１】
映像のみの広告、及び音声に前記映像も伴う前記広告の少なくともいずれか一方を管理する広告管理部と、
前記広告が配信されるクライアントのランクを設定するランク設定部と、
前記広告を配信する前記クライアントが保有するポイント、及び、前記クライアントに設定された前記ランク毎の前記ポイントを管理するポイント管理部と、
前記広告を配信するために必要とされる前記ポイントを、前記クライアントに含まれる第１クライアント及び第２クライアントの間で交換することで、指定されたスケジュールで前記第１クライアントの前記広告を前記第２クライアントに配信し、前記第２クライアントの前記広告を前記第１クライアントで配信するように管理する配信管理部と、
撮像部により撮像された前記広告が提供される場所の画像を含む画像ファイルを前記クライアントから取得し、前記画像ファイルを解析して時間毎の広告提供者数を計測する広告提供者数計測部と、
前記画像ファイルを解析して前記広告が提供される場所の音量を計測する音量計測部と、を備え、
前記ランク設定部は、前記広告提供者数及び前記音量に基づいて前記クライアントに前記ランクを設定する
広告管理サーバー。
【請求項１２】
映像のみの広告、及び音声に前記映像も伴う前記広告の少なくともいずれか一方を管理する広告管理部と、
前記広告が配信されるクライアントのランクを設定するランク設定部と、
前記広告を配信する前記クライアントが保有するポイント、及び、前記クライアントに設定された前記ランク毎の前記ポイントを管理するポイント管理部と、
前記広告を配信するために必要とされる前記ポイントを、前記クライアントに含まれる第１クライアント及び第２クライアントの間で交換することで、指定されたスケジュールで前記第１クライアントの前記広告を前記第２クライアントに配信し、前記第２クライアントの前記広告を前記第１クライアントで配信するように管理する配信管理部と、を備え、
前記配信管理部は、前記広告が配信される前記クライアント又は配信先端末から取得する情報に基づいて前記広告を選択する
広告管理サーバー。
【請求項１３】
映像のみの広告、及び音声に前記映像も伴う前記広告の少なくともいずれか一方を出稿する広告主に関する情報、及び前記広告を前記広告主毎に管理する管理データベースと、前記広告の配信を管理する広告管理サーバーと、を備え、
前記広告管理サーバーは、
前記広告を管理する広告管理部と、
前記広告が配信されるクライアントのランクを設定するランク設定部と、
前記広告を配信する前記クライアントが保有するポイント、及び、前記クライアントに設定された前記ランク毎の前記ポイントを管理するポイント管理部と、
前記広告を配信するために必要とされる前記ポイントを、前記クライアントに含まれる第１クライアント及び第２クライアントの間で交換することで、指定されたスケジュールで前記第１クライアントの前記広告を前記第２クライアントに配信し、前記第２クライアントの前記広告を前記第１クライアントで配信するように管理する配信管理部と、を備え、
前記管理データベースを参照して、前記管理データベースから前記広告主に関する情報、及び前記広告を取得する
広告配信システム。
【請求項１４】
前記広告が配信される前記クライアント又は配信先端末は、
前記広告を放映する放映部と、
前記放映部の周囲にいる人物を検知する人物検知部と、
前記人物検知部が前記人物を検知したタイミングで前記放映部に前記広告を放映させる再生判断部と、を備える
請求項１３に記載の広告配信システム。
【請求項１５】
前記再生判断部は、前記人物検知部が検知した人を特定し、特定した前記人物に対して所定時間内に前記放映部に放映させた前記広告とは異なる前記広告を前記放映部に放映させる
請求項１４に記載の広告配信システム。
【請求項１６】
前記再生判断部は、前記放映部が放映した前記広告の放映回数、放映時間を含む情報を前記広告管理サーバーに送信し、
前記ランク設定部は、前記クライアント又は前記配信先端末から受信した前記広告の放映回数、放映時間を含む情報に基づいて、前記ランクを設定する
請求項１５に記載の広告配信システム。
【請求項１７】
映像のみの広告、及び音声に前記映像も伴う前記広告の少なくともいずれか一方を出稿する広告主に関する情報、及び前記広告を前記広告主毎に管理する管理データベースと、前記広告の配信を管理する広告管理サーバーと、を備え、
前記広告管理サーバーは、
前記広告を管理する広告管理部と、
前記広告が配信されるクライアントのランクを設定するランク設定部と、
前記広告を配信する前記クライアントが保有するポイント、及び、前記クライアントに設定された前記ランク毎の前記ポイントを管理するポイント管理部と、
前記広告を配信するために必要とされる前記ポイントを、前記クライアントに含まれる第１クライアント及び第２クライアントの間で交換することで、指定されたスケジュールで前記第１クライアントの前記広告を前記第２クライアントに配信し、前記第２クライアントの前記広告を前記第１クライアントで配信するように管理する配信管理部と、
撮像部により撮像された前記広告が提供される場所の画像を含む画像ファイルを前記クライアントから取得し、前記画像ファイルを解析して時間毎の広告提供者数を計測する広告提供者数計測部と、
前記画像ファイルを解析して前記広告が提供される場所の音量を計測する音量計測部と、を備え、
前記管理データベースを参照して、前記管理データベースから前記広告主に関する情報、及び前記広告を取得し、
前記ランク設定部は、前記広告提供者数及び前記音量に基づいて前記クライアントに前記ランクを設定する
広告配信システム。
【請求項１８】
映像のみの広告、及び音声に前記映像も伴う前記広告の少なくともいずれか一方を出稿する広告主に関する情報、及び前記広告を前記広告主毎に管理する管理データベースと、前記広告の配信を管理する広告管理サーバーと、を備え、
前記広告管理サーバーは、
前記広告を管理する広告管理部と、
前記広告が配信されるクライアントのランクを設定するランク設定部と、
前記広告を配信する前記クライアントが保有するポイント、及び、前記クライアントに設定された前記ランク毎の前記ポイントを管理するポイント管理部と、
前記広告を配信するために必要とされる前記ポイントを、前記クライアントに含まれる第１クライアント及び第２クライアントの間で交換することで、指定されたスケジュールで前記第１クライアントの前記広告を前記第２クライアントに配信し、前記第２クライアントの前記広告を前記第１クライアントで配信するように管理する配信管理部と、を備え、
前記管理データベースを参照して、前記管理データベースから前記広告主に関する情報、及び前記広告を取得し、
前記配信管理部は、前記広告が配信される前記クライアント又は配信先端末から取得する情報に基づいて前記広告を選択する
広告配信システム。
【手続補正２】
【補正対象書類名】明細書
【補正対象項目名】０００９
【補正方法】変更
【補正の内容】
【０００９】
本発明に係る広告管理サーバーは、映像のみの広告、及び音声に映像も伴う広告の少なくともいずれか一方を管理する広告管理部と、広告が配信されるクライアントのランクを設定するランク設定部と、広告を配信するクライアントが保有するポイント、及び、クライアントに設定されたランク毎のポイントを管理するポイント管理部と、広告を配信するために必要とされるポイントを、クライアントに含まれる第１クライアント及び第２クライアントの間で交換することで、指定されたスケジュールで第１クライアントの広告を第２クライアントに配信し、第２クライアントの広告を第１クライアントで配信するように管理する配信管理部と、を備える。
また、広告配信システムは、上記の広告管理サーバーに加えて、広告を出稿する広告主に関する情報、及び広告を広告主毎に管理する管理データベースを備える。
【手続補正３】
【補正対象書類名】明細書
【補正対象項目名】００１０
【補正方法】変更
【補正の内容】
【００１０】
本発明によれば、第１クライアント及び第２クライアントの間でポイントを交換することで、指定されたスケジュールで各クライアントが他のクライアントの広告を配信することができる。このようにポイントを交換するシステムを設けたことにより、映像のみの広告、及び音声に映像も伴う広告の少なくともいずれか一方の流動性を高めることができる。
また、本発明に係る広告配信システムによれば、例えば、クライアントに来た人物に対して、少なくとも視覚から広告を訴求できる上、クライアントに来た人物に対して、受動的に広告を伝送できる仕組みを提供することができる。
上記した以外の課題、構成及び効果は、以下の実施の形態の説明により明らかにされる。